(57)【特許請求の範囲】
【請求項１】
ファンモータを内蔵する本体と、この本体の一面に開口した収納部と、この収納部に収納されるフィルター袋に封入された脱臭フィルターと、前記収納部の前面を覆うように着脱自在に設けたカバーと、前記フィルター袋に一端を付着した表示テープを有し、前記フィルター袋の一部を、本体とカバーの間に設けた開口部を通して本体外に引き出し、前記本体の表面に前記表示テープにて付着し、前記表示テープ自体に空気清浄機を運転する前に、フィルターをフィルター袋から取り出して使用すべきことを表示してなる空気清浄機のフィルター装置。
【請求項２】
本体とカバーの間に設けた開口部は、本体の前面または側面に配してなる請求項１記載の空気清浄機のフィルター装置。
【請求項３】
本体とカバーの間に設けた開口部は、室内吸気の吸気口とした請求項１または２記載の空気清浄機のフィルター装置。
【請求項４】
吸気口を本体側面の前部に設け、フィルター袋を本体側面の後部に付着してなる請求項３記載の空気清浄機のフィルター装置。
【請求項５】
フィルター袋は収納するフィルターに対して、側方に余剰部を設け、この余剰部に表示テープを付着した請求項１〜４のいずれかに記載の空気清浄機のフィルター装置。
【請求項６】
表示テープの本体貼付面の露出長さを、本体貼付面の幅寸法の半分以上とした請求項１または請求項２記載の空気清浄機のフィルター装置。
【請求項７】
収納部に、脱臭フィルターの上に集塵フィルターを重ねて嵌入してなる請求項１記載の空気清浄機のフィルター装置。
【請求項８】
フィルター袋に、脱臭フィルターと集塵フィルターを重ねて封入してなる請求項１記載の空気清浄機のフィルター装置。
【発明の詳細な説明】
【技術分野】
【０００１】
本発明は、室内に設置して空気浄化を行なう空気清浄機に関する。
【背景技術】
【０００２】
従来、この種の空気清浄機は、ポリ袋入りフィルターを本体内に収納した状態で出荷され、使用者がフィルターを取り出して、ポリ袋を開封して使用するものが知られている（参考文献１参照）。
【０００３】
以下、その空気清浄機について図８を参照しながら説明する。
【０００４】
図に示すように、本体１０１に着脱可能に設けたカバー１０２を有し、電源コード１０３は電源コード用凹部１０１ｂに収納され、カバー１０２はフィルター収納用凹部１０１ａと電源コード用凹部１０１ｂを共に覆うように取り付けることにより、ポリ袋１０４ａ入りフィルター１０４を取り付けたまま運転するという誤使用を未然に防止することができるものである。
【特許文献１】特開平１０−１３２３４１号公報
【発明の開示】
【発明が解決しようとする課題】
【０００５】
このような従来の空気清浄機では、脱臭フィルターなどが周囲の雰囲気にさらされて吸着性能が経時変化することを防止するために、フィルター袋に密封するものであり、本体に設けた凹部にフィルターと電源コードを収納してカバーで閉蓋しているため、本体を運転するために電源コードを使用するときに、必ずカバーを外すことにより、袋入りのフィルターを認知するので、袋から取り出して正しく設置されるものであるが、フィルターのみを本体内に収納して出荷する場合は、取扱説明書などに記載して使用者に注意を促しているものの、取扱説明書などに気付かないで、またそれに従わずに、フィルターをフィルター袋に入れたままで、運転を開始する場合があるという課題があり、フィルター袋から脱臭フィルターを取り出すべきことを使用者に確実に知らせることが要求されている。
【０００６】
本発明は、このような従来の課題を解決するものであり、フィルター袋から脱臭フィルターを取り出して運転することを、使用者に確実に知らせることのできる空気清浄機を提供することを目的とする。
【課題を解決するための手段】
【０００７】
本発明の空気清浄機は、上記目的を達成するために、ファンモータを内蔵する本体と、この本体の一面に開口した収納部と、この収納部に収納されるフィルター袋に封入された脱臭フィルターと、前記収納部の前面を覆うように着脱自在に設けたカバーと、前記フィルター袋に一端を付着した表示テープを有し、前記フィルター袋の一部を、本体とカバーの間に設けた開口部を通して本体外に引き出し、前記本体の表面に前記表示テープにて付着し、前記表示テープ自体に空気清浄機を運転する前に、フィルターをフィルター袋から取り出して使用すべきことを表示してなるものである。
【０００８】
また、他の手段は、本体とカバーの間に設けた開口部は、本体の前面または側面に配してなるものである。
【０００９】
また、他の手段は、本体とカバーの間に設けた開口部は、室内吸気の吸気口１０としたものである。
【００１０】
また、他の手段は、吸気口を本体側面の前部に設け、フィルター袋を本体側面の後部に付着してなるものである。
【００１１】
また、他の手段は、フィルター袋は収納するフィルターに対して、側方に余剰部を設け、この余剰部に表示テープを付着したものである。
【００１３】
また、他の手段は、表示テープの本体貼付面の露出長さを、本体貼付面の幅寸法の半分以上としたものである。
【００１６】
また、他の手段は、収納部に、脱臭フィルターの上に集塵フィルターを重ねて嵌入してなるものである。
【００１７】
また、他の手段は、フィルター袋に、脱臭フィルターと集塵フィルターを重ねて封入してなるものである。
【００１８】
これらにより、フィルター袋から脱臭フィルターを取り出して設置することを使用者に確実に知らせることのできる空気清浄機が得られる。
【発明の効果】
【００１９】
本発明によれば、ファンモータを内蔵する本体と、この本体の一面に開口した収納部と、この収納部に収納されるフィルター袋に封入された脱臭フィルターと、前記収納部の前面を覆うように着脱自在に設けたカバーと、前記フィルター袋に一端を付着した表示テープを有し、前記フィルター袋の一部を、本体とカバーの間に設けた開口部を通して本体外に引き出し、前記本体の表面に前記表示テープにて付着し、前記表示テープ自体に空気清浄機を運転する前に、フィルターをフィルター袋から取り出して使用すべきことを表示することにより、使用者は運転開始前に、フィルター袋入りの脱臭フィルターに確実に気付くことができ、脱臭フィルターをフィルター袋から取り出して設置することにより、空気清浄機の不正規な状態での使用を防ぐことができ、表示テープ自体に注意書きを表示することにより、表示テープの表面に分かりやすく表示された文字表示による注意書を見て、注意書に示された注意事項を理解して守ることにより、フィルター袋をつけたままの誤使用を防ぐことができるという効果のある空気清浄機を提供することができる。
【００２０】
また、本体とカバーの間に設けた開口部は、本体の前面または側面に配してなることにより、使用者は運転開始前に、フィルター袋入りの脱臭フィルターに確実に気付くことができる。
【００２１】
また、本体とカバーの間に設けた開口部は、室内吸気の吸気口としたことにより、本体に設けた吸気口を有効利用して、フィルター袋を損傷することなく、簡単にフィルター袋を引き出して本体表面に付着することができる。
【００２２】
また、吸気口を本体側面の前部に設け、フィルター袋を本体側面の後部に付着することにより、本体に設けた吸気口を有効利用して、フィルター袋が外れないようにして、引き出したフィルター袋を本体表面に確実に付着することができる。
【００２３】
また、フィルター袋は収納するフィルターに対して、側方に余剰部を設け、この余剰部に表示テープを付着したことにより、フィルター袋に設けた余剰部が本体表面へ露出される寸法を一定に保ち、表示テープの貼付け作業性が容易となる。
【００２５】
また、表示テープの本体貼付面の露出長さを、本体貼付面の幅寸法の半分以上としたことにより、表示テープの露出長さが大きく判り易く知らせることができ、本体表面への付着力を強くして剥がれないようにできる。
【００２８】
また、収納部に、脱臭フィルターの上に集塵フィルターを重ねて嵌入することにより、フィルター袋に封入した脱臭フィルターの収納部の収納位置を確定され、フィルター袋の本体表面上の露出長さが略一定となり、表示テープの貼り付け作業性が良好となる。
【００２９】
また、フィルター袋に、脱臭フィルターと集塵フィルターを重ねて封入することにより、フィルター袋に封入した脱臭フィルターと集塵フィルターが収納部に確実に収納され、かつ集塵フィルターも粉塵等に汚染されることを防止できる。
【発明を実施するための最良の形態】
【００３０】
本発明の請求項１記載の空気清浄機は、ファンモータを内蔵する本体と、この本体の一面に開口した収納部と、この収納部に収納されるフィルター袋に封入された脱臭フィルターと、前記収納部の前面を覆うように着脱自在に設けたカバーと、前記フィルター袋に一端を付着した表示テープを有し、前記フィルター袋の一部を、本体とカバーの間に設けた開口部を通して本体外に引き出し、前記本体の表面に前記表示テープにて付着し、前記表示テープ自体に空気清浄機を運転する前に、フィルターをフィルター袋から取り出して使用すべきことを表示するとしたものであり、開口部を通して本体外に引き出されたフィルター袋と、このフィルター袋を本体表面に貼り付ける表示テープを使用者は認識することができるので、本体表面の表示テープを外すとともに本体からカバーを取り外し、本体内に収納されたフィルター袋入りの脱臭フィルターを本体から取り外し、さらにフィルター袋から脱臭フィルターを取り出して収納部に設置することができ、表示テープ自体に注意書きを表示したものであり、表示テープの表面に「運転前にフィルターを袋から取り出す」「使用時は袋を外してください」などの注意書を印字して表示することにより、使用者が表示テープに印字された注意書を見ることで、空気清浄機を運転する前に、脱臭フィルターをフィルター袋から取り出して使用すべきことを、分かり易く伝えることができるという作用を有する。
【００３１】
また、本体とカバーの間に設けた開口部は、本体の前面または側面に配したものであり、本体表面の目立つ部位に、フィルター袋または表示テープを露出させているので、使用者に対して、本体表面に付着されたのフィルター袋または表示テープを取り外し、さらにフィルター袋から脱臭フィルターを取り出して使用することを事前に認識させることができるという作用を有する。
【００３２】
また、本体とカバーの間に設けた開口部は、室内吸気の吸気口としたものであり、本体に設けた吸気口を兼用することにより、本体に吸気口以外の開口部を別途形成する必要がなく、また吸気口の大きさがフィルター袋を通すのに充分な大きさにしていれば、収納部からフィルター袋を傷つけることなく引き出して本体表面に付着することができ、フィルター袋の保護機能を損なわずに脱臭フィルターの劣化を防止することができるという作用を有する。
【００３３】
また、吸気口を本体側面の前部に設け、フィルター袋を本体側面の後部に付着するとしたものであり、本体側面の前部に設けた吸気口により、室内空気の吸気機能を効率よく発揮する配置にできるとともに、引き出したフィルター袋を本体側面の後部に沿うように折り曲げて付着することにより、フィルター袋を本体側面に密着して取り付けることができるという作用を有する。
【００３４】
また、フィルター袋は収納するフィルターに対して、側方に余剰部を設け、この余剰部に表示テープを付着したものであり、脱臭フィルターをフィルター袋の中で、余剰部とは反対側に寄せて収納することにより、フィルター袋の余剰部が本体表面へ露出され、フィルター袋の本体表面への露出寸法を一定に保つことができるとともに、表示テープの貼付け位置が確定するので製造時の作業性が容易となるという作用を有する。
【００３６】
また、表示テープの本体貼付面の露出長さを、本体貼付面の幅寸法の半分以上としたものであり、本体貼付面を横断するように付着した表示テープの露出長さが大きくなり、使用者に表示テープの存在を判り易く知らせることができ、また表示テープの付着面積が充分確保できるので、表示テープが本体表面から簡単に剥がれないようにすることができるという作用を有する。
【００３９】
また、収納部に、脱臭フィルターの上に集塵フィルターを重ねて嵌入するとしたものであり、本体の収納部には、フィルター袋に封入した脱臭フィルターが収納され、この脱臭フィルターの上に集塵フィルターを重ねて収納するときに、脱臭フィルターおよび集塵フィルターが収納部に嵌入状態で収納されることになり、フィルター袋に封入した脱臭フィルターが収納部から容易に外れないようにするとともに、集じんフィルターでフィルター袋が位置ずれしないように確実に所定位置に押さえつけることができるという作用を有する。
【００４０】
また、フィルター袋に、脱臭フィルターと集塵フィルターを重ねて封入してなるとしたものであり、脱臭フィルターと集塵フィルターが収納部に嵌入状態で収納されることになり、フィルター袋に封入した脱臭フィルターと集塵フィルターが収納部から容易に外れないようにするとともに、脱臭フィルターと集塵フィルターをフィルター袋に封入することができ、使用前に汚染された周囲環境に晒された場合でも、脱臭フィルターだけでなく集塵フィルターも、粉塵等に汚染されることを防止できるという作用を有する。
【００４１】
以下、本発明の実施の形態について、図面を参照しながら説明する。
【００４２】
（実施の形態１）
図１〜図６に示すように、ファンモータ２を内蔵する本体１は前面に収納部３を開口し、製造時の組立工程において、収納部３に透明なポリエチレン製のフィルター袋４に封入された脱臭フィルター５を嵌入状態で収納するとともに、この脱臭フィルター５に重ねて集塵フィルター６を嵌入状態で収納して出荷している。本体１には収納部３の前面を覆うようにカバー７を着脱自在に設け、本体１とカバー７の間に室内空気を吸引する吸気口１０を形成している。フィルター袋４は封入している脱臭フィルター５に対して、側方に寸法大なる余剰部４ａを設け、脱臭フィルター５は余剰部４ａの反対側に寄せてフィルター袋４に収納されている。フィルター袋４の余剰部４ａを、本体１とカバー７の間に設けた開口部８を通して本体表面１ａ上に引き出し、余剰部４ａを本体表面１ａ上に表示テープ９にて付着して固定している。
【００４３】
ここで、本体１とカバー７の間に設けた開口部８は、室内空気を吸引する吸気口１０を兼ねたものであり、本体１側面の前部に配置している。また開口部８より引き出したフィルター袋４の余剰部４ａを、本体１側面の後部側に折り返して表示テープ９にて付着しており、本体１側面に付着した表示テープ９の露出長さＬを、本体１側面の幅寸法Ｄの半分以上としている。
【００４４】
また、表示テープ９の着色または濃度を、本体１表面の着色に対して反対の着色または濃度としている。例えば、本体色が薄い寒色系の場合は、表示テープ９の色を濃い寒色系としている。さらに、表示テープ９自体に「運転前にフィルターを袋から取り出す」「使用時は袋を外して下さい」などの文字や注意マークを印刷して表示している。
【００４５】
また、フィルター袋４に付着した表示テープ９に近接して、本体１より延設する電源コード１１を袋に入れて本体１表面にテープ止めしている。
【００４６】
上記構成により、開口部８を通して本体１外に引き出されたフィルター袋４と、このフィルター袋４を本体表面１ａに貼り付ける表示テープ９を使用者は認識することができるので、まず本体表面１ａの表示テープ９を外すとともに本体１からカバー７を取り外し、本体１内に収納されたフィルター袋４入りの脱臭フィルター５を本体１から取り外し、次にフィルター袋４から脱臭フィルター５を取り出して収納部３に設置することができる。
【００４７】
また、本体表面１ａの目立つ部位に、フィルター袋４または表示テープ９を露出させることができ、使用者は本体表面１ａのフィルター袋４または表示テープ９を確実に視認することができ、フィルター袋４から脱臭フィルター５を取り出して使用するべきことを理解することができる。
【００４８】
また、本体１に設けた吸気口１０を兼用することにより、本体１に開口部８を別途形成する加工が不用となり、本体１側のエアリークを未然に防止できるとともに、吸気口１０の大きさをフィルター袋４を通すのに充分な大きさに設定することにより、フィルター袋４を傷つけることなく引き出して本体表面１ａに付着することができ、フィルター袋４の保護機能を損なわずに脱臭フィルター５の劣化を防止することができる。
【００４９】
また、本体１側面の前部に設けた吸気口１０により、室内空気の吸気機能を効率よく発揮するとともに、引き出したフィルター袋４を本体１側面の後部に沿うように折り曲げて付着することにより、フィルター袋４を本体１側面に確実に付着することができる。
【００５０】
また、脱臭フィルター５をフィルター袋４の中で、余剰部４ａとは反対側に寄せて収納することにより、フィルター袋４の余剰部４ａが本体表面１ａへ露出され、フィルター袋４の本体表面１ａへの露出寸法を一定に保つことができるとともに、表示テープ９の貼付け位置が確定するので作業性が容易となる。
【００５１】
また、本体表面１ａに付設した電源コード１１を外して電源供給する必要があるが、そのときに電源コード１１に近接したフィルター袋４も同時に外すべきことを使用者が認知することとなり、電源コード１１を使用するときに、フィルター袋４または表示テープ９を確実に認知することができる。
【００５２】
また、本体１側面を横断するように付着した表示テープ９の露出長さが大きくなり、使用者に表示テープ９の存在を判り易く知らせることができる。また、表示テープ９の付着面積が充分確保できるので、表示テープ９が本体表面１ａから簡単に剥がれないようにすることができる。
【００５３】
また、本体色が薄い寒色系の場合は、表示テープ９の色を濃い寒色系とすることにより、表示テープ９は本体表面１ａ上ではよく目立つので、使用者にとって補色関係のように視認しやすい色彩配置となる。例えば、本体色が薄い青色またはクリーム色の場合は、表示テープ９の色を黄色または赤色とすることにより、表示テープ９が本体表面１ａ上では目立つ色となり、視認しやすいものとなる。
【００５４】
また、表示テープ９の表面に「運転前にフィルターを袋から取り出す」「使用時は袋を外すこと」などの注意書を印字して表示することにより、使用者が表示テープ９に印字された注意書を見ることで、空気清浄機を運転する前に、脱臭フィルター５をフィルター袋４から取り出して使用すべきことを、判り易く知ることができる。
【００５５】
また、本体１の収納部３には、フィルター袋４に封入した脱臭フィルター５が収納され、この脱臭フィルター５の上に集塵フィルター６を重ねて収納するときに、脱臭フィルター５および集塵フィルター６が収納部３に嵌入状態で収納されることになり、フィルター袋４に封入した脱臭フィルター５が収納部３から容易に外れないようにするとともに、集じんフィルターでフィルター袋４が位置ずれしないように確実に所定位置に押さえつけることができる。
【００５６】
なお、本実施例では、フィルター袋４の余剰部４ａを吹き出すための開口部８を吸気口１０と兼用しているが、開口部８を吸気口１０と兼用せずに別途形成するようにしてもよい。
【００５７】
（実施の形態２）
図７に示すように、フィルター袋４に、脱臭フィルター５と集塵フィルター６を重ねて封入してなる構成とする。
【００５８】
上記構成により、脱臭フィルター５と集塵フィルター６が収納部３に嵌入状態で収納されることになり、フィルター袋４に封入した脱臭フィルター５と集塵フィルター６が収納部３から容易に外れないようにするとともに、脱臭フィルター５と集塵フィルター６をフィルター袋４に封入することができ、使用前に汚染された周囲環境に晒された場合でも、脱臭フィルター５だけでなく集塵フィルター６も、粉塵等に汚染されることを防止できる。
【００５９】
このように本発明の実施の形態２の空気清浄機によれば、フィルター袋４に封入した脱臭フィルター５と集塵フィルター６が収納部３に確実に収納され、かつ集塵フィルター６も粉塵等に汚染されることを防止できることとなる。
【産業上の利用可能性】
【００６０】
本体表面に引き出した収納袋の一部に取り付けた表示テープを用いて、使用者に容易に注意を促すことができ、本体に収納された袋入り部品の袋の一部に表示テープを取り付けることにより、使用者が取り扱う機会の多いエアコン、除湿機、加湿器、暖房機、乾燥機などの空調機器に収納するフィルターの用途にも適用できる。
【図面の簡単な説明】
【００６１】
【図１】本発明の実施の形態１の空気清浄機の本体の分解斜視図
【図２】同、空気清浄機の側断面図
【図３】同、空気清浄機の本体の表示テープの貼り付け状態を示す外観斜視図
【図４】同、空気清浄機の表示テープと電源コードの貼り付け状態を示す外観斜視図
【図５】同、空気清浄機の表示テープの正面図
【図６】同、空気清浄機を使用時の一部透視の外観斜視図
【図７】本発明の実施の形態２の空気清浄機のフィルターとフィルター袋の外観図
【図８】従来の空気清浄機の分解状態を示す外観斜視図
【符号の説明】
【００６２】
１    本体
１ａ  本体表面
２    ファンモータ
３    収納部
４    フィルター袋
４ａ  余剰部
５    脱臭フィルター
６    集塵フィルター
７    カバー
８    開口部
９    表示テープ
１０  吸気口
１１  電源コード
【図１】
0005439712.tif 000002
【図２】
0005439712.tif 000003
【図３】
0005439712.tif 000004
【図４】
0005439712.tif 000005
【図５】
0005439712.tif 000006
【図６】
0005439712.tif 000007
【図７】
0005439712.tif 000008
【図８】
0005439712.tif 000009